(57)【要約】【課題】内部を中蓋で仕切り上下段に物品を複数収納する包装箱において、包装作業における中蓋の浮き上がりをなくし、自動機包装対応等でもより包装作業性の良い包装箱を提供すること。【解決手段】中蓋を箱内側に係止させる係止部を設け、上蓋を閉じなくても中蓋だけを閉じて係止できる。該係止部は、中蓋先端の角部に配置した係止部と箱貼合部の上方に設けた係止爪とを係止させる構造。もしくは中蓋先端の折返し部に設けた係止爪を上蓋境界部で係止させる構造。これらの該係止部は中蓋が所定の閉じ位置より浮上がった半開き状態で係止してもよい。【選択図】図１
2020033069.tif 000002
【特許請求の範囲】
【請求項１】
立方体を成し、
内部を中蓋で上下に区画し、
該中蓋の下に物品を収納して該中蓋を閉じた状態で上蓋を閉じる包装箱において、
該中蓋は該包装箱と一体に形成され、
該中蓋を閉じた状態で該中蓋を係止する係止機構を有することを特徴とする包装箱。
【請求項２】
該中蓋は該包装箱の第一側面の上辺に接続し、
該中蓋の先端に中蓋係止部を有し、
該第一側面と対向する第二側面と該上蓋の境界に沿って外観側から内側へ押し出して形成した折線に該中蓋係止部を係止させることを特徴とする請求項１に記載の包装箱。
【請求項３】
該中蓋係止部は、
該中蓋の先端に折返面折線を介して折返面を設け、
該折返面折線より該前面に近い位置に係止爪折線を設け、
該係止爪折線を一辺とし他の三辺を該折返面の方向へ切込線で切込んで構成することを特徴とする請求項２に記載の包装箱。
【請求項４】
該包装箱は該第二側面に隣接した貼合面を該第一側面に隣接した第三側面に貼合わせて形成し、
該貼合面から該第三側面に沿って延長した側面係止部を有し、
該係止機構は、該中蓋を該側面係止部に係止させて構成することを特徴とする請求項１に記載の包装箱。
【請求項５】
該中蓋の先端で該第三側面に隣接する側に切欠部を有し、
該係止機構は、該切欠部を該側面係止部に係止させて構成することを特徴とする請求項４に記載の包装箱。
【発明の詳細な説明】
【技術分野】
【０００１】
本発明は、複数の物品を収納する包装箱に関し、特に一眼レフカメラの包装箱の様に、内部に中蓋を有し、物品を中蓋の上下に分けて収納する包装箱に関する。
【背景技術】
【０００２】
一眼レフカメラの様な電子機器は、製品本体に加え、電池や充電器、ストラップ、交換レンズ等様々なアクセサリ類、さらに説明書や保証書類を一緒に包装箱へ同梱するのが一般的である。この包装箱には段ボール等の軽くて丈夫な紙材がよく使われ、箱の内部を別途中パッキン材あるいは箱自身の形状を一部延長して設けた仕切りによって分割し、複数の物品を効率よく収納する様、数々な工夫がみられる。また、物流時の耐衝撃性や耐環境性はもちろん、さらに包装作業時における作業効率性も大切な要素で、そのための改善も多く提案されてきた。
【０００３】
特許文献１は、包装作業を機械によって自動化させる装置の発明である。箱の蓋を閉じる際、左右フラップと中蓋を閉じてから、その中蓋が浮き上がらない様に押さえつつ上蓋を閉じ、ロック爪を差し込んで固定するもので、一連の作業を人手によらず自動機で対応できる。また特許文献２は、包装箱の中へ仕切り構造体を入れ、カメラ本体や複数の物品を収納し、中蓋を閉じて、その上へさらに説明書類を載せるものである。中蓋を安定させるために、仕切構造体の一部を上方へ突出させ、中蓋に設けたスリットに差し込んで結合させる。
【先行技術文献】
【特許文献】
【０００４】
【特許文献１】特許第４１５４７２１号公報
【特許文献２】特開２０１２−２５４８２０号公報
【発明の概要】
【発明が解決しようとする課題】
【０００５】
ところで、新品の箱はまだ折り目が硬く戻り力が強いので、中蓋を閉じて離すと、また中蓋が元に戻ろうとして浮き上がってしまう。特に一眼レフカメラの場合は、特許文献１とは異なり、各物品を入れて中蓋を閉じたら、さらにその上にも説明書類等を載せる作業があるため、説明書類等を載せるまでの間に中蓋が浮き上がらない様に押さえる必要がある。通常の手作業による梱包であれば、片手で中蓋を閉じて押さえながらもう一方の手で説明書類等を載せることはできる。しかし自動機の梱包では、一箇所のステージにて箱を固定し各物品をオートハンド等で箱の中へ運び入れる際に、中蓋押さえ用のアームがステージにあると他のオートハンドのじゃまになりやすい。あるいは中蓋を閉じた後にベルトコンベア等でステージを移動してから次の物品を梱包する様な場合、移動する間にアームで中蓋を押さえ続けることは困難である。アームの代わりにダミーの重りを中蓋に載せて移動させる方法も考えられるが、載せたダミーを次にまた取り除くという作業が生じ、効率がよくない。
【０００６】
そこで本発明の目的は、物品を中蓋の上下に分けて収納する包装箱において、中蓋の浮き上がりを防ぎ、梱包作業をより容易にできる様な包装箱を提供することにある。
【課題を解決するための手段】
【０００７】
上記の目的を達成するために、本発明に係る包装箱は、
立方体を成し、内部を中蓋で上下に区画し該中蓋の下に物品を収納して該中蓋を閉じ、さらに該中蓋の上へ他の物品を収納して上蓋を閉じる包装箱において、
該包装箱は中蓋を閉じた状態で係止する係止手段を有することを特徴とする。
【０００８】
さらに、本発明に係る包装箱は、
該中蓋は該包装箱の第一側面の上辺に接続し、
該中蓋の先端に中蓋係止部を有し、
該第一側面と対向する第二側面に設けた側面係止部に該中蓋係止部を係止させることを特徴とする。
【０００９】
さらに、本発明に係る包装箱は、
該包装箱は該第二側面に隣接した貼合面を該第二側面に直交する第三側面に貼合わせて形成し、
該側面係止部は該貼合面から第三側面に沿って延長した側面係止部を有し、
該側面係止部に該中蓋係止部を係止させることを特徴とする。
【発明の効果】
【００１０】
本発明に係る包装箱によれば、収納箱の下部に第一の物品を収納した後、中蓋を側面に係止させて浮き上がるのを防止するので、引き続き上部へ他の物品を収納する作業が容易になる。また従来通りの中蓋を閉じる作業だけで係止部を箱の内側面に係止できるので、係止作業も容易である。
【図面の簡単な説明】
【００１１】
【図１】本発明による包装部材の全体図
【図２】本発明による包装箱の展開図
【図３】包装箱の後面と折線と上面の断面図
【図４】包装箱の中蓋と折返面と係止爪の断面図
【図５】包装箱を折って貼合せる手順の図
【図６】本発明による中パッキンの展開図
【図７】包装箱と中パッキンを折って組立てる手順の図
【図８】包装箱に各部材を包装する手順の図
【図９】包装箱の折線に係止爪を係止させる手順の断面図
【図１０】包装箱の係止爪に切欠部を係止させる手順の断面図
【発明を実施するための形態】
【００１２】
以下に、本発明の好ましい実施の形態を、添付の図面に基づいて詳細に説明する。
【実施例１】
【００１３】
以下、本発明の実施例による包装装置について説明する。
【００１４】
図１は、本発明による包装部材の全体図で、１は包装箱であり、２はその内部へ配置する中パッキンである。２ａおよび２ｂは被包装物を入れる収容スペースで、２ａにはデジタルカメラ３を収納し、２ｂには充電器４、電池５、ケーブル６、ストラップ７等の付属品を収納する。さらに包装箱１の中蓋５４を閉じてから、説明書８やディスク９や保証書１０などを収納し、上蓋３４を閉じて包装する様になっている。また１１はデジタルカメラ３を包装する不織布、１２はそれを更に包んで保護する気泡緩衝材シート等による包装材である。その他各収納物を包装するポリ袋類を多用するが、ここでは省略する。
【００１５】
次に、収納箱１の詳細を説明する。収納箱１は、Ｅフルート等の一枚の段ボール材を打抜いた後、グルアー加工等により貼合せ、略立方体に折り上げたものである。図２はその展開形状で、折り目を付けた多数の折線によって各面の部分に分かれている。２１は目方向を表わす記号で、縦方向となっている。２２は前面で、左右には折線２３を介して左面２４、折線２５を介して右面２６が隣接し、それぞれ折線２７を介して左フラップ２８、折線２９を介して右フラップ３０が隣接している。また左面２４には折線３１を介して後面３２が隣接し、そこに折線３３を介して上蓋３４が隣接している。さらに折線３５と３６を介して差込片３７が隣接し、切込線３８と３９、また穴４０が設けてある。
【００１６】
図３の（ａ）はこの折線３３の断面図で、後面３２および上蓋３４の外観側から内側へ向かって曲面状に盛り上がる様に押出したもので、内側から見ると突起が左右一直線に飛び出た状態になっている。これによって、図３の（ｂ）および（ｃ）の様に後面３２に対して上蓋３４を曲げると、折線３３の曲面部分に曲げ応力が集中してきれいに折れ曲がる。なおこの構造は他の各折線でも基本的に同じものである。
【００１７】
次に図２に戻って、後面３２には折線４１を介して貼合面４２が隣接しており、これは後述する様に右面２１と貼合せて直方体を形成するためのものである。貼合面４２は縦に細長い短冊状であるが、本発明では、その上部に横方向へ伸びた係止爪４３が設けてある。
【００１８】
次に、前面２２には折線４４と４５を介して幅の細い折曲面４６と４７が隣接し、さらに折線４８と４９を介して折曲面５０と５１が隣接し、さらに折線５２と５３を介して中蓋５４が隣接している。そして中蓋５４には折線５５〜５８を介して折返面５９が隣接し、穴６０が設けてある。
【００１９】
次に、６１および６２は係止爪である。これは折線５５〜５８より前面２２に近い位置に折線６３および６４を設け、そこから切込線６５および６６でコの字状態にカットしたものである。図４はその断面図で、折線５５〜５８で折返面５９を折り、折線６３および６４で係止爪６１および６２を折ると、係止爪６１および６２が折返面５９に当たって止まるので、折返面５９から係止爪６１および６２の先端が飛び出した状態となる。
【００２０】
次に図２に戻って、６７は切欠部で、これは包装箱１の中蓋５４を閉じた時に、右面２６に貼り合せた貼合面４２が右面２６から突出するのを逃がすものである。また、前面２２には折線６８を介してロック前面６９、さらに折線７０を介してロック爪７１があり、これは先述の差込片３７に設けた切込線３８と３９にはめて上蓋３４をロックするものである。また７２は差込穴で、これは先述の差込片３９を差し込むものである。
【００２１】
そして７３〜７６は底面で、所謂ワンタッチ底方式で形成しており、それぞれ前面２２と左面２４と右面２６と後面３２に折線７７〜８０にて隣接し、また折れ線８１と８２が設けられている。これは公知の技術にて説明は省略する。
【００２２】
そして、この包装箱１は図２の展開形状を図５の（ａ）から（ｂ）の様に折れ線８１〜８２を折ってから、図５の（ｃ）から（ｄ）の様に折線７７〜８０で裏側へ折る。それを図５の（ｅ）の様に再び裏返し、図５の（ｅ）から（ｈ）の様に右面２６を貼合面４２へ重ねて貼り合わせつつ、底面７３〜７６を所謂ワンタッチ底に貼り合わせて図５の（ｈ）の様に完成させる。このとき、折線２５と３１は１８０度折られ、折線２３と４１は折られていない状態である。その後は図５の（ｈ）の状態で積み重ねられ、梱包作業を行うまで保管される。
【００２３】
次に、中パッキン２の詳細を説明する。中パッキン２は、Ａフルート等の一枚の段ボール材を打抜いた後、略立方体に折り上げたものである。図６はその展開形状で、多数の折線によって各面の部分に分かれている。１０１は目方向を表わす記号で、横方向となっている。１０２は底面で、左右には折線１０３と１０４を介して左面１０５、折線１０６と１０７を介して右面１０８が隣接してある。また前後には折線１０９と１１０を介して前面１１１、折線１１２と１１３を介して後面１１４が隣接してある。また１１５〜１１８は切込線で、これらによって前脚１１９と後脚１２０と左脚１２１と右脚１２２は底面１０２から分離して構成されている。また、左面には折線１２３および１２４を介して左前面１２５および左後面１２６が隣接している。
【００２４】
本発明の実施例による包装箱１および中パッキン２は以上の各部材にて構成されている。
【００２５】
次に、これらの各部材を包装する作業について説明する。まず、先述の様に平面状態でにあった包装箱１を、図７の（ａ）から（ｃ）の様に折って箱状にする。このとき底面７３〜７６は先述の通り所謂ワンタッチ底方式によって閉鎖され、図７の（ｃ）の様に、前後面２２・３２と左右面２４・２６と底面７３〜７６による直方体の箱になる。
【００２６】
次に、中パッキン２を図７の（ｄ）から（ｅ）の様に折線１０９〜１１０と１１２〜１１３、また折線１２３と１２４で折る。さらに図７の（ｆ）の様に折線１０３〜１０４と１０６〜１０７で折る。すると、底面１０２の下に前脚１１９と後脚１２０と左脚１２１と右脚１２２が突出する。
【００２７】
次に、図７の（ｃ）の様に折った包装箱１へ、図７の（ｆ）の様に折った中パッキン２を、図８の（ａ）から（ｂ）の様に入れる。すると包装箱１の内部は中パッキン２によって、カメラ収納部２ａとアクセサリ収納部２ｂに仕切られる。また、中パッキン２は図７の（ｆ）の様に底面１０２の下へ前脚１１９と後脚１２０と左脚１２１と右脚１２２が突出する底面１０２の下に突出しているので、カメラ収納部２ａの底面１０２と包装箱１の底面７３〜７６の間にはスキマが生じている。これはカメラ収納部２ａの緩衝空間として作用させるものである。
【００２８】
次に、不織布１１と気泡緩衝材シート１２で包んだカメラ本体３を、図８の（ｂ）から（ｃ）の様に中パッキン２のカメラ収納部２ａへ収納する。このときカメラ本体３は不織布１１と気泡緩衝材シート１２で包んでいるので弾力性があり、図８の（ｃ）の様に中パッキン２から少し飛び出した状態となる。そして充電器４、電池５、ケーブル６、ストラップ７等の付属品をアクセサリ収納部２ｂへ入れる。
【００２９】
次に、図８の（ｄ）の様に中蓋５４の折返面５９を折る。このとき、図４で説明した様に、折線５５〜５８で折返面５９を折り、折線６３および６４で係止爪６１および６２を折っておく。すると、係止爪６１および６２が折返面５９に当たって止まり、折返面５９から係止爪６１および６２の先端が飛び出した状態にできる。そのまま、図８の（ｅ）の様に中蓋５４を閉じると、先述の様に、カメラ本体１は不織布１１と気泡緩衝材シート１２で包んでいるので弾力性があり、中パッキン２から少し飛び出した状態となっているので、中蓋５４は気泡緩衝材シート１２に当たって止まり、さらに押し込めば沈み込み、手を放せば押し戻されて再び浮き上がろうとする。
【００３０】
このとき、本発明では中蓋５４を係止させて浮き上がりを防止する機構を設けており、これを図９の包装箱１の断面図にて説明する。図９の（ａ）から（ｂ）の様に中蓋５４を閉じると、折返面５９から飛び出した係止爪６１および６２の先端が、後面３２と上蓋３４の間の折線３３に当たる。折線３３は図３で説明した様に、後面３２および上蓋３４の外観側から内側へ向かって曲面状に盛り上がる様に押出したもので、内側から見ると突起が左右一直線に飛び出た状態になっている。そのため、図９の（ｂ）の様に中蓋５４を閉じると、折返面５９から飛び出した係止爪６１および６２の先端が折線３３に係止するので、手を放しても中蓋５４は図９の（ｂ）の状態で係止され、それ以上の浮き上がりを防止できる。
【００３１】
また、もう一方の浮き上がり防止機構も設けており、これを図１０の包装箱１の断面図にて説明する。図１０の（ａ）から（ｂ）の様に中蓋５４を閉じると、中蓋５４に設けた切欠部６７に、右面２６に貼り合せた貼合面４２が当たる。先述した様に、貼合面４２は縦に細長い短冊状で、その上部に横方向へ伸びた係止爪４３が設けてある。そのため、図１０の（ｂ）の様に中蓋５４を閉じると、切欠部６７が係止爪４３に掛かって係止するので、手を放しても中蓋５４は図１０の（ｂ）の状態で係止され、それ以上の浮き上がりを防止できる。
【００３２】
その後は、図８の（ｅ）の様に中蓋５４を閉じた上へ説明書８やディスク９や保証書１０などを収納し、図８の（ｆ）の様に上蓋３４を閉じ、差込片３７を差込穴７２に差し込む。そのまま最後に、ロック爪７１を切込線３８〜３９にはめて上蓋３４をロックする。
【００３３】
以上の様に、包装箱１は物品を収納させて中蓋５４を閉じれば、係止爪６１および６２、また係止爪４３の効果で、中蓋５４を閉じた状態を維持できる。よって、先述した様に、自動機による梱包の場合等に、中蓋を５４閉じた後にベルトコンベア等でステージを移動させても中蓋５４を押さえ続ける必要がなく、自動梱包化に対応しやすい。あるいは通常の手作業梱包においても、中蓋５４の浮き上がりを気にすることなく、梱包作業が容易にできる。なお、本実施例では、係止機構を二例併せて説明したが、片方の機構だけでもよく、またこれ以外の様々な係止機構であってもよい。
【符号の説明】
【００３４】
１  包装箱、２  中パッキン、２ａ  カメラ収納部、２ｂ  アクセサリ収納部２ｂ、
３  デジタルカメラ、４  充電器、５  電池、６  ケーブル、７  ストラップ、
８  説明書、９  ディスク、１０  保証書、１１  不織布、
１２  気泡緩衝材シート、２１〜８２  包装箱１の細部、
１０１〜１２６  中パッキン２の細部
【図１】
2020033069.tif 000003
【図２】
2020033069.tif 000004
【図３】
2020033069.tif 000005
【図４】
2020033069.tif 000006
【図５】
2020033069.tif 000007
【図６】
2020033069.tif 000008
【図７】
2020033069.tif 000009
【図８】
2020033069.tif 000010
【図９】
2020033069.tif 000011
【図１０】
2020033069.tif 000012